(57)【要約】      （修正有）【課題】システム全体としての構成を簡素化すると共に、コストを抑制する映像信号伝送システムを提供する。【解決手段】コンピュータ２は、メイン画面Ｍの映像データとサブ画面Ｓの映像データとを纏めたＬＶＤＳ信号を送信する。サブディスプレイ４は、コンピュータ２から受信したＬＶＤＳ信号から自装置向けのサブ画面Ｓの映像データを分離してサブ画面Ｓを表示する。メインディスプレイ３は、コンピュータ２からサブディスプレイ４を経由して受信したＬＶＤＳ信号から自装置向けのメイン画面Ｍの映像データを分離してメイン画面Ｍを表示する。【選択図】図１
2015225232.tif 000002
【特許請求の範囲】
【請求項１】
映像信号を送信する一の映像送信装置（２）と、メイン画面を表示する一のメイン表示装置（３）と、を備え、前記映像送信装置と前記メイン表示装置との間に一又は複数のサブ表示装置（４）を接続可能な映像信号伝送システム（１）であって、
前記映像送信装置は、前記メイン画面の映像データと前記サブ画面の映像データとを纏めた映像信号を送信し、
前記メイン表示装置は、前記映像送信装置から前記サブ表示装置を経由して又は直接受信した映像信号から自装置向けの前記メイン画面の映像データを分離してメイン画面を表示し、
前記サブ表示装置は、前記映像送信装置と前記メイン表示装置との間に接続されているときには、前記映像送信装置又は前段の前記サブ表示装置から受信した映像信号から自装置向けの前記サブ画面の映像データを分離してサブ画面を表示すると共に、その映像信号を後段の前記サブ表示装置又は前記メイン表示装置に送信することを特徴とする映像信号伝送システム。
【請求項２】
請求項１に記載した映像信号伝送システムにおいて、
前記映像送信装置は、前記メイン画面の映像データと前記サブ画面の映像データとを並べ、前記メイン画面の解像度と前記サブ画面の解像度との和に相当する解像度を有する映像信号を送信することを特徴とする映像信号伝送システム。
【請求項３】
請求項１に記載した映像信号伝送システムにおいて、
前記映像送信装置は、前記メイン画面の映像データと前記サブ画面の映像データとをピクセル単位で交互にした映像信号を送信することを特徴とする映像信号伝送システム。
【請求項４】
請求項１に記載した映像信号伝送システムにおいて、
前記映像送信装置は、前記メイン画面の映像データの１ピクセル当たりのビット数と前記サブ画面の映像データの１ピクセル当たりのビット数との和に相当する１ピクセル当たりのビット数を有する映像信号を送信することを特徴とする映像信号伝送システム。
【請求項５】
映像信号を送信する一の映像送信装置（２）と、メイン画面を表示する一のメイン表示装置（３）と、を備え、前記映像送信装置と前記メイン表示装置との間に一又は複数のサブ表示装置（４）を接続可能であり、前記映像送信装置が前記メイン画面の映像データと前記サブ画面の映像データとを纏めた映像信号を送信する映像信号伝送システム（１）内において前記一のメイン表示装置として機能する表示装置であって、
前記映像送信装置から映像信号を前記サブ表示装置を経由して又は直接受信するメイン受信手段（３ｂ）と、
前記メイン受信手段により受信された映像信号から自装置向けの前記メイン画面の映像データを分離するメイン分離手段（３ｃ）と、
前記メイン分離手段により分離された映像データに基づいて前記メイン画面を表示するメイン表示手段（３ｄ）と、を備えたことを特徴とする表示装置。
【請求項６】
映像信号を送信する一の映像送信装置（２）と、メイン画面を表示する一のメイン表示装置（３）と、を備え、前記映像送信装置と前記メイン表示装置との間に一又は複数のサブ表示装置（４）を接続可能であり、前記映像送信装置が前記メイン画面の映像データと前記サブ画面の映像データとを纏めた映像信号を送信する映像信号伝送システム（１）内において前記一又は複数のサブ表示装置として機能する表示装置であって、
前記映像送信装置又は前段の前記サブ表示装置から映像信号を受信するサブ受信手段（４ｃ）と、
前記サブ受信手段により受信された映像信号から自装置向けの前記サブ画面の映像データを分離するサブ分離手段（４ｄ）と、
前記サブ分離手段により分離された映像データに基づいて前記サブ画面を表示するサブ表示手段（４ｅ）と、
前記サブ受信手段により受信された映像信号を後段の前記サブ表示装置又は前記メイン表示装置に送信するサブ送信手段（４ｆ）と、を備えたことを特徴とする表示装置。
【発明の詳細な説明】
【技術分野】
【０００１】
本発明は、一の映像送信装置と、一又は複数の表示装置が設けられる映像信号伝送システム及び表示装置に関する。
【背景技術】
【０００２】
従来より、一の映像送信装置と、一又は複数の表示装置が設けられる映像信号伝送システムが供されている。一の映像送信装置に複数の表示装置が接続される構成では、映像送信装置において、複数の表示装置に対応して複数のＧＤＣ（Graphics Display Controller）が必要になり、複数のＧＤＣに対応して複数の送信機も必要になる。このような複数のＧＤＣ及び送信機が映像送信装置に必要になる構成では、映像送信装置の構成が複雑化すると共に、コスト高になるという問題があった。又、このように複数の表示装置が接続されることを想定して複数のＧＤＣ及び送信機が設けられる構成では、複数の表示装置のうち一部しか接続されず、一部のＧＤＣ及び送信機しか使用されない使用形態では残りのＧＤＣ及び送信機が無駄になるという問題もあった。
【０００３】
このような問題に対し、特許文献１には、映像送信装置において、それぞれの画面の映像データを纏めた映像データをＧＤＣにより作成し、その映像データをＡＳＩＣ（Application Specific Integrated Circuit）により分離する構成が開示されている。
【先行技術文献】
【特許文献】
【０００４】
【特許文献１】特開２０１３−２１３８５９号公報
【発明の概要】
【発明が解決しようとする課題】
【０００５】
しかしながら、特許文献１に開示されている技術では、映像送信装置において、ＧＤＣについては１つで済むが、それぞれの画面の映像データを纏めた映像データをＡＳＩＣにより分離するので、送信機については依然として複数の表示装置に対応して複数が必要になる。又、複数の送信機のうち一部しか使用されない使用形態では依然として残りの送信機が無駄になる。その結果、システム全体として構成が複雑化すると共に、コスト高になるという問題があった。
【０００６】
本発明は、上記した事情に鑑みてなされたものであり、その目的は、システム全体として構成を簡素化することができる共に、コストを抑制することできる映像信号伝送システム及び表示装置を提供することにある。
【課題を解決するための手段】
【０００７】
請求項１に記載した発明によれば、映像信号伝送システムは、映像信号を送信する一の映像送信装置と、メイン画面を表示する一のメイン表示装置との間に、サブ画面を表示する一又は複数のサブ表示装置を接続可能に構成されている。映像送信装置は、メイン画面の映像データとサブ画面の映像データとを纏めた映像信号を送信する。メイン表示装置は、映像送信装置から映像信号をサブ表示装置を経由して又は直接受信すると、その受信した映像信号から自装置向けのメイン画面の映像データを分離してメイン画面を表示する。サブ表示装置は、映像送信装置とメイン表示装置との間に接続されているときには、映像送信装置又は前段のサブ表示装置から映像信号を受信すると、その受信した映像信号から自装置向けのサブ画面の映像データを分離してサブ画面を表示すると共に、その映像信号を後段のサブ表示装置又はメイン表示装置に送信する。
【０００８】
このものでは、映像送信装置において、メイン画面の映像データとサブ画面の映像データとを纏めた映像信号を送信するようにしたので、システム全体として複数の表示装置を備える場合であっても、複数の表示装置（一のメイン表示装置と一又は複数のサブ表示装置）に対応して複数の送信機を設ける必要がなくなる。即ち、１つの送信機で対応すれば良く、その分、映像送信装置の構成を簡素化することができると共に、コストを抑制することができる。又、サブ表示装置が接続されない場合でも映像送信装置において無駄な送信機が発生することもなくなる。この場合、サブ表示装置に映像信号を後段のサブ表示装置又はメイン表示装置に送信するための送信手段が必要になり、サブ表示装置の構成が複雑化すると共に、コスト高になることが懸念される。しかしながら、メイン表示装置が標準装備であるのに対し、サブ表示装置がオプション装備であり、サブ表示装置の装着率（接続率）が低ければ、システム全体では、オプション装備であるサブ表示装置の構成の複雑化やコスト高よりも映像送信装置の構成の簡素化やコスト抑制の方がシステム全体に寄与する影響が大きい。その結果、システム全体として構成を簡素化することができる共に、コストを抑制することできる。
【図面の簡単な説明】
【０００９】
【図１】本発明の第１の実施形態を示す機能ブロック図
【図２】映像データを分離する態様を示す図
【図３】比較対象の機能ブロック図（その１）
【図４】比較対象の機能ブロック図（その２）
【図５】本発明の第２の実施形態について、映像データを分離する態様を示す図
【図６】本発明の第３の実施形態について、映像データを分離する態様を示す図
【発明を実施するための形態】
【００１０】
（第１の実施形態）
以下、本発明を、車両に搭載可能であり、映像伝送インタフェースとしてＬＶＤＳ（Low voltage differential signaling）を用いた車両用の映像信号伝送システムに適用した第１の実施形態について図１から図４を参照して説明する。映像信号伝送システム１は、車両に搭載可能であり、コンピュータ２（映像送信装置）と、メインディスプレイ（メイン表示装置）３とを有し、コンピュータ２とメインディスプレイ３との間にサブディスプレイ４（サブ表示装置）を接続可能に構成されている。メインディスプレイ３は標準装備のディスプレイであり、サブディスプレイ４はオプション装備のディスプレイである。即ち、映像信号伝送システム１を搭載している車両のユーザ（例えば所有者）は、サブディスプレイ４を装着（接続）するか否かを選択可能である。
【００１１】
図１（ａ）に示すように、コンピュータ２とメインディスプレイ３との間に１つのサブディスプレイ４が接続されている構成では、接続ケーブル５の一方のコネクタ５ａがコンピュータ２のコネクタ２ａに接続（装着）されると共に、接続ケーブル５の他方のコネクタ５ｂがサブディスプレイ４のコネクタ４ａに接続されることで、コンピュータ２からサブディスプレイ４にＬＶＤＳ信号を伝送可能となる。又、接続ケーブル６の一方のコネクタ６ａがサブディスプレイ４のコネクタ４ｂに接続されると共に、接続ケーブル６の他方のコネクタ６ｂがメインディスプレイ３のコネクタ３ａに接続されることで、サブディスプレイ４からメインディスプレイ３にＬＶＤＳ信号を伝送可能となる。尚、コンピュータ２とメインディスプレイ３との間に接続されるサブディスプレイ４の数は２以上であっても良い。又、コンピュータ２とサブディスプレイ４との間の通信インタフェースと、サブディスプレイ４とメインディスプレイ３との間の通信インタフェースとは同じである（共通する）。
【００１２】
一方、図１（ｂ）に示すように、コンピュータ２とメインディスプレイ３との間にサブディスプレイ４が接続されていない構成では、接続ケーブル７の一方のコネクタ７ａがコンピュータ２のコネクタ２ａに接続されると共に、接続ケーブル７の他方のコネクタ７ｂがメインディスプレイ３のコネクタ３ａに接続されることで、コンピュータ２からメインディスプレイ３にＬＶＤＳ信号を伝送可能となる。尚、コンピュータ２とメインディスプレイ３との間の通信インタフェースは、上記したコンピュータ２とサブディスプレイ４との間の通信インタフェース及びサブディスプレイ４とメインディスプレイ３との間の通信インタフェースと同じである。即ち、接続ケーブル５〜７は同じ仕様で対応することができる。
【００１３】
コンピュータ２は、ＳｏＣ（System on Chip）２ｂ上に実装されているＧＤＣ（Graphics Display Controller）２ｃと、送信機（ＬＶＤＳ  ＴＸ）２ｄとを有する。ＧＤＣ２ｃは、映像データを送信機２ｄに出力する。送信機２ｄは、ＧＤＣ２ｃから映像データを入力すると、その入力した映像データをＬＶＤＳの規格にプロトコル変換し、そのプロトコル変換して生成したＬＶＤＳ信号（映像信号）を送信する。即ち、コンピュータ２は、メインディスプレイ３との間にサブディスプレイ４が接続されていれば、ＬＶＤＳ信号をサブディスプレイ４に送信する。又、コンピュータ２は、メインディスプレイ３との間にサブディスプレイ４が接続されていなければ、ＬＶＤＳ信号をメインディスプレイ３に送信する。尚、コンピュータ２は、自身が作成した映像データを含むＬＶＤＳ信号を送信しても良いし、外部から入力した映像データを含むＬＶＤＳ信号を送信しても良い。
【００１４】
メインディスプレイ３は、受信機３ｂ（ＬＶＤＳ  ＲＸ）（メイン受信手段）と、スプリッタ３ｃ（メイン分離手段）と、表示部３ｄ（メイン表示手段）とを有する。受信機３ｂは、コンピュータ２とメインディスプレイ３との間にサブディスプレイ４が接続されていれば、コンピュータ２からサブディスプレイ４を経由して受信したＬＶＤＳ信号をスプリッタ３ｃに出力する。又、受信機３ｂは、コンピュータ２とメインディスプレイ３との間にサブディスプレイ４が接続されていなければ、コンピュータ２から直接受信したＬＶＤＳ信号をスプリッタ３ｃに出力する。スプリッタ３ｃは、受信機３ｂからＬＶＤＳ信号を入力すると、その入力したＬＶＤＳ信号から自装置向けのメイン画面Ｍの映像データを抽出して分離し、その分離した映像データを表示部３ｄに出力する。尚、スプリッタ３ｃは、メイン画面Ｍの映像データ以外の映像データについては破棄する。表示部３ｄは、スプリッタ３ｃから映像データを入力すると、その入力した映像データからメイン画面Ｍを構築して表示する。尚、図１では、メイン画面Ｍとしてナビゲーション機能の地図や経路案内に関する画面を例示しているが、どのような画面であっても良い。
【００１５】
サブディスプレイ４は、受信機４ｃ（ＬＶＤＳ  ＲＸ）（サブ受信手段）と、スプリッタ４ｄ（サブ分離手段）と、表示部４ｅ（サブ表示手段）と、送信機４ｆ（ＬＶＤＳＴＸ）（サブ送信手段）とを有する。コンピュータ２とメインディスプレイ３との間にサブディスプレイ４が接続されていれば、受信機４ｃは、コンピュータ２又は前段のサブディスプレイ４から受信したＬＶＤＳ信号をスプリッタ４ｄ及び送信機４ｆに出力する。スプリッタ４ｄは、受信機４ｃからＬＶＤＳ信号を入力すると、その入力したＬＶＤＳ信号から自装置向けのサブ画面Ｓの映像データを抽出して分離し、その分離した映像データを表示部４ｅに出力する。尚、スプリッタ４ｄは、サブ画面Ｓの映像データ以外の映像データについては破棄する。表示部４ｅは、スプリッタ４ｄから映像データを入力すると、その入力した映像データからサブ画面Ｓを構築して表示する。送信機４ｆは、受信機４ｃからＬＶＤＳ信号を入力すると、その入力したＬＶＤＳ信号を後段のサブディスプレイ４又はメインディスプレイ３に送信する。尚、図１では、サブ画面Ｓとして燃費等に関する画面を例示しているが、どのような画面であっても良い。
【００１６】
次に、上記した構成の作用について、図２も参照して説明する。
上記した構成では、コンピュータ２において、ＧＤＣ２ｃは、メイン画面Ｍの映像データとサブ画面Ｓの映像データとを横方向に並べて纏めた映像データを作成し、その作成した映像データを送信機２ｄに出力する。送信機２ｄは、ＧＤＣ２ｃから映像データを入力すると、メイン画面Ｍの解像度とサブ画面Ｓの解像度との和に相当する解像度を有するＬＶＤＳ信号を送信する。即ち、送信機２ｄは、メイン画面Ｍの解像度が「８００×４８０」であり、サブ画面Ｓの解像度が「８００×４８０」である場合には、メイン画面Ｍとサブ画面Ｓとを横方向に並べた「１６００×４８０」の解像度を有するＬＶＤＳ信号を送信する。
【００１７】
サブディスプレイ４は、コンピュータ２とメインディスプレイ３との間に接続されている場合に、コンピュータ２から「１６００×４８０」の解像度を有するＬＶＤＳ信号を受信機４ｃにより受信すると、その受信したＬＶＤＳ信号から自身の領域に相当する映像データをスプリッタ４ｄにより抽出して分離する。そして、サブディスプレイ４は、分離した映像データを表示部４ｅに出力させ、その映像データからサブ画面Ｓを構築して表示部４ｅに表示する。又、サブディスプレイ４は、コンピュータ２から受信した「１６００×４８０」の解像度を有するＬＶＤＳ信号を送信機４ｆからメインディスプレイ３に送信する。
【００１８】
メインディスプレイ３は、コンピュータ２から「１６００×４８０」の解像度を有するＬＶＤＳ信号をサブディスプレイ４を経由して受信機３ｂにより受信すると、その受信したＬＶＤＳ信号から自身の領域に相当する映像データをスプリッタ３ｃにより抽出して分離する。そして、メインディスプレイ３は、分離した映像データを表示部３ｄに出力させ、その映像データからメイン画面Ｍを構築して表示部３ｄに表示する。
【００１９】
このような構成では、図３及び図４に示す従来構成と比較すると、コンピュータ２の構成が簡素になる。即ち、図３に示す映像信号伝送システム１１は、コンピュータ１２とメインディスプレイ１３とが接続ケーブル１５を介して接続されており、コンピュータ１２とサブディスプレイ１４とが接続ケーブル１６を介して接続されている。この構成では、コンピュータ１２において、メイン画面Ｍの映像データ及びサブ画面Ｓの映像データを別々に作成しようとすると、２つのＧＤＣ１２ａ、１２ｂが必要になり、２つのＧＤＣ１２ａ、１２ｂに対応して２つの送信機１２ｃ、１２ｄも必要になる。又、図４に示す映像信号伝送システム２１では、コンピュータ２２において、メイン画面Ｍの映像データとサブ画面Ｓの映像データとを横方向に並べて纏めた映像データをＧＤＣ２２ａにより作成し、その映像データをＡＳＩＣ２２ｂにより分離しようとすると、ＧＤＣ２２ａは１つで済むが、２つの送信機２２ｃ、２２ｄが必要になる。これらの従来構成に対し、本願の構成では、ＧＤＣ２ｃ及び送信機２ｄが共に１つで済み、コンピュータ２の構成が簡素になる。
【００２０】
尚、以上は、ＧＤＣ２ｃが、メイン画面Ｍの映像データとサブ画面Ｓの映像データとを横方向に並べて纏めた映像データを作成する場合を説明したが、メイン画面Ｍとサブ画面Ｓとを縦方向に並べて纏めた映像データを作成することも可能である。この場合、送信機２ｄは、メイン画面Ｍとサブ画面Ｓとを縦方向に並べた「８００×９６０」の解像度を有するＬＶＤＳ信号を送信する。
【００２１】
以上に説明したように第１の実施形態によれば、コンピュータ２において、メイン画面Ｍの映像データとサブ画面Ｓの映像データとを纏めたＬＶＤＳ信号を送信するようにしたので、メインディスプレイ３とサブディスプレイ４に対応して２つの送信機を設ける必要がなくなる。即ち、１つの送信機２ｃで対応すれば良く、その分、コンピュータ２の構成を簡素化することができると共に、コストを抑制することができる。又、サブディスプレイ４が接続されない場合でもコンピュータ２において無駄な送信機が発生することもなくなる。この場合、サブディスプレイ４においては、従来構成のサブディスプレイ１４と比較すると、送信機４ｆやコネクタ４ｂが必要であり（メインディスプレイ３と同じ構成にできず）、サブディスプレイ４の構成が複雑化すると共に、コスト高になることが懸念される。しかしながら、メインディスプレイ３が標準装備であるのに対し、サブディスプレイ４がオプション装備であり、サブディスプレイ４の装着率（接続率）が低ければ、システム全体では、サブディスプレイ４の構成の複雑化やコスト高よりもコンピュータ２の構成の簡素化やコストの抑制の方がシステム全体に寄与する影響が大きい。その結果、システム全体として構成を簡素化することができる共に、コストを抑制することできる。
【００２２】
（第２の実施形態）
次に、本発明の第２の実施形態について、図５を参照して説明する。尚、上記した第１の実施形態と同一部分については説明を省略し、異なる部分について説明する。第２の実施形態は、コンピュータ２が、メイン画面Ｍの映像データとサブ画面Ｓの映像データとを纏めた映像信号を送信する方法として、メイン画面Ｍの映像データとサブ画面Ｓの映像データとをピクセル単位で交互にしたＬＶＤＳ信号を送信する点で第１の実施形態とは異なる。
【００２３】
即ち、コンピュータ２は、ドットクロック（１ドットを表示するために必要な時間の逆数）の立上エッジでメイン画面Ｍの映像データ（ｍ１，ｍ２，ｍ３，…）を取込み、ドットクロックの立下エッジでサブ画面Ｓの映像データ（ｓ１，ｓ２，ｓ３，…）を取込むことで、メイン画面Ｍの映像データとサブ画面Ｓの映像データとをピクセル単位で交互にしたＬＶＤＳ信号を送信する。
【００２４】
サブディスプレイ４は、コンピュータ２とメインディスプレイ３との間に接続されている場合に、コンピュータ２からＬＶＤＳ信号を受信すると、その受信したＬＶＤＳ信号からドットクロックの立下エッジの映像データをスプリッタ４ｄにより抽出して分離する。そして、サブディスプレイ４は、分離した映像データを表示部４ｅに出力させ、その映像データからサブ画面Ｓを構築して表示部４ｅに表示する。又、サブディスプレイ４は、コンピュータ２から受信したＬＶＤＳ信号を送信機４ｆからメインディスプレイ３に送信する。
【００２５】
メインディスプレイ３は、コンピュータ２からサブディスプレイ４を経由してＬＶＤＳ信号を受信すると、その受信したＬＶＤＳ信号からドットクロックの立上エッジの映像データをスプリッタ３ｃにより抽出して分離する。そして、メインディスプレイ３は、分離した映像データを表示部３ｄに出力させ、その映像データからメイン画面Ｍを構築して表示部３ｄに表示する。
【００２６】
尚、以上は、コンピュータ２が、ドットクロックの立上エッジでメイン画面Ｍの映像データを取込み、ドットクロックの立下エッジでサブ画面Ｓの映像データを取込む場合を説明したが、立上エッジや立下エッジで取込む映像データを反対にすることも可能である。即ち、コンピュータ２は、ドットクロックの立上エッジでサブ画面Ｓの映像データを取込み、ドットクロックの立下エッジでメイン画面Ｍの映像データを取込むことも可能である。第２の実施形態でも、第１の実施形態と同等の作用効果を得ることができる。即ち、メイン画面Ｍの映像データとサブ画面Ｓの映像データとを纏めたＬＶＤＳ信号を送信するようにしたので、１つの送信機２ｃで対応すれば良く、その分、コンピュータ２の構成を簡素化することができる。
【００２７】
（第３の実施形態）
次に、本発明の第３の実施形態について、図６を参照して説明する。尚、上記した第１の実施形態と同一部分については説明を省略し、異なる部分について説明する。第３の実施形態は、コンピュータ２が、メイン画面Ｍの映像データとサブ画面Ｓの映像データとを纏めた映像信号を送信する方法として、メイン画面Ｍの映像データの１ピクセル当たりのビット数とサブ画面Ｓの映像データの１ピクセル当たりのビット数との和に相当する１ピクセル当たりのビット数を有するＬＶＤＳ信号を送信する点で第１の実施形態とは異なる。
【００２８】
即ち、コンピュータ２は、例えばメイン画面Ｍの映像データの１ピクセル当たりのビット数が１５ビットであり、サブ画面Ｓの映像データの１ピクセル当たりのビット数が９ビットであると、その１５ビットと９ビットをマージ（併合）して２４ビットで表記し、１ピクセル当たりのビット数が２４ビットのＬＶＤＳ信号を送信する。
【００２９】
サブディスプレイ４は、コンピュータ２とメインディスプレイ３との間に接続されている場合に、コンピュータ２からＬＶＤＳ信号を受信すると、その受信したＬＶＤＳ信号の１ピクセル当たりの２４ビットの中から９ビットで表記される映像データをスプリッタ４ｄにより抽出して分離する。そして、サブディスプレイ４は、分離した映像データを表示部４ｅに出力させ、その映像データからサブ画面Ｓを構築して表示部４ｅに表示する。又、サブディスプレイ４は、コンピュータ２から受信したＬＶＤＳ信号を送信機４ｆからメインディスプレイ３に送信する。
【００３０】
メインディスプレイ３は、コンピュータ２からサブディスプレイ４を経由してＬＶＤＳ信号を受信すると、その受信したＬＶＤＳ信号の１ピクセル当たりの２４ビットの中から１５ビットで表記される映像データをスプリッタ３ｃにより抽出して分離する。そして、メインディスプレイ３は、分離した映像データを表示部３ｄに出力させ、その映像データからメイン画面Ｍを構築して表示部３ｄにより表示する。
【００３１】
尚、以上は、メイン画面Ｍの映像データの１ピクセル当たりのビット数が１５ビットであり、サブ画面Ｓの映像データの１ピクセル当たりのビット数が９ビットである場合を説明したが、それぞれの画面の映像データの１ピクセル当たりのビット数は任意の値であれば良い。第３の実施形態でも、第１の実施形態と同等の作用効果を得ることができる。即ち、メイン画面Ｍの映像データとサブ画面Ｓの映像データとを纏めたＬＶＤＳ信号を送信するようにしたので、１つの送信機２ｃで対応すれば良く、その分、コンピュータ２の構成を簡素化することができる。
【００３２】
（その他の実施形態）
本発明は、上記した実施形態にのみ限定されるものではなく、以下のように変形又は拡張することができる。
車両用の映像信号伝送システムに適用する構成を例示したが、車両以外の用途の映像信号伝送システムに適用する構成であっても良い。
映像伝送インタフェースとしてＬＶＤＳを用いた構成を例示したが、他の映像伝送インタフェースを用いた構成であっても良い。例えばＨＤＭＩ（登録商標）（High-Definition Multimedia Interface）、ＧＶＩＦ（登録商標）（Gigabit Video Interface）等を用いた構成であっても良い。
【符号の説明】
【００３３】
図面中、１は映像信号伝送システム、２はコンピュータ（映像送信装置）、３はメインディスプレイ（メイン表示装置）、３ｂは受信機（メイン受信手段）、３ｃはスプリッタ（メイン分離手段）、３ｄは表示部（メイン表示手段）、４はサブディスプレイ（サブ表示装置）、４ｃは受信機（サブ受信手段）、４ｄはスプリッタ（サブ分離手段）、４ｅは表示部（サブ表示手段）、４ｆは送信機（サブ送信手段）である。
【図１】
2015225232.tif 000003
【図２】
2015225232.tif 000004
【図３】
2015225232.tif 000005
【図４】
2015225232.tif 000006
【図５】
2015225232.tif 000007
【図６】
2015225232.tif 000008